【手続補正書】
【提出日】平成15年12月26日(2003.12.26)
【手続補正１】
【補正対象書類名】明細書
【補正対象項目名】発明の名称
【補正方法】変更
【補正の内容】
【発明の名称】記録システム、記録装置及びその制御方法及び通信装置とその方法及びプログラムと記憶媒体
【手続補正２】
【補正対象書類名】明細書
【補正対象項目名】特許請求の範囲
【補正方法】変更
【補正の内容】
【特許請求の範囲】
【請求項１】
汎用インターフェースを介して画像供給デバイスと接続され前記画像供給デバイスから画像データを受信して記録する記録装置であって、
前記汎用インターフェースのハードウェアに依存する物理層により、前記画像供給デバイスが所定の通信規約に対応しているか否かを判定する第１判定手段と、
前記物理層の上位で通信を司るトランスポート層において、前記画像供給デバイスが前記所定の通信規約に対応しているか否かを判定する第２判定手段と、
前記第１或いは第２判定手段のいずれかで前記画像供給デバイスが所定の通信規約に対応していると判定されると前記画像供給デバイスが前記所定の通信規約に対応していると確定し、前記第１或いは第２判定手段のいずれにおいても前記画像供給デバイスが所定の通信規約に対応していると判定されない場合、前記トランスポート層の上位層であるアプリケーション層で前記画像供給デバイスが前記所定の通信規約に対応しているか否かを判定するように制御する制御手段と、を有することを特徴とする記録装置。
【請求項２】
前記第１判定手段は、前記汎用インターフェースを介して送られてくる前記画像供給デバイスの製造メーカ名、デバイス情報の少なくともいずれかに基づいて判定することを特徴とする請求項１に記載の記録装置。
【請求項３】
前記第２判定手段は、前記トランスポート層で送られてくる前記画像供給デバイスの製造メーカ名、デバイス情報の少なくともいずれかに基づいて判定することを特徴とする請求項１又は２に記載の記録装置。
【請求項４】
複数の機器間で情報をやり取りして記録を行う記録システムであって、
前記複数の機器間のインターフェースを構成する複数の階層のそれぞれにおいて、所定の通信モードへの移行可能かどうかを判断する判断手段と、
前記判断手段により、前記複数の階層のいずれかで前記所定の通信モードへの移行可能と判定されると前記複数の機器間での通信モードを前記所定の通信モードとするように制御する制御手段と、
を有することを特徴とする記録システム。
【請求項５】
前記複数の階層での判断のうちの一つは、合言葉を用いた判断であることを特徴とする請求項４に記載の記録システム。
【請求項６】
前記複数の階層での判断のうちの一つは、会社名、製品名・製造番号名の少なくともいずれか１つに基づくことを特徴とする請求項４に記載の記録システム。
【請求項７】
前記判断手段は、前記複数の階層での判断を層ごとに順次実行し、ある層で移行可能であると判断すると後続の層での判断処理を省略することを特徴とする請求項４に記載の記録システム。
【請求項８】
前記複数の階層のうち少なくとも１つは、前記複数の機器間のインターフェースにおける必須の層であることを特徴とする請求項４に記載の記録システム。
【請求項９】
前記複数の階層は、物理層、トランスポート層、アプリケーション層のうち少なくとも２つを含むことを特徴とする請求項４乃至８のいずれか１項に記載の記録システム。
【請求項１０】
前記物理層は、ＵＳＢを含むことを特徴とする請求項９に記載の記録システム。
【請求項１１】
前記トランスポート層はＰＴＰを含むことを特徴とする請求項９に記載の記録システム。
【請求項１２】
前記複数の機器は、画像を記録する画像出力機器を含むことを特徴とする請求項４に記載の記録システム。
【請求項１３】
前記複数の機器は、画像を供給する画像供給機器を含むことを特徴とする請求項４に記載の記録システム。
【請求項１４】
汎用インターフェースを介して画像供給デバイスと接続され前記画像供給デバイスから画像データを受信して記録する記録装置の制御方法であって、
前記汎用インターフェースのハードウェアに依存する物理層により、前記画像供給デバイスが所定の通信規約に対応しているか否かを判定する第１判定工程と、
前記物理層の上位で通信を司るトランスポート層において、前記画像供給デバイスが前記所定の通信規約に対応しているか否かを判定する第２判定工程と、
前記第１或いは第２判定工程のいずれかで前記画像供給デバイスが所定の通信規約に対応していると判定されると前記画像供給デバイスが前記所定の通信規約に対応していると確定し、前記第１或いは第２判定工程のいずれにおいても前記画像供給デバイスが所定の通信規約に対応していると判定されない場合、前記トランスポート層の上位層であるアプリケーション層で前記画像供給デバイスが前記所定の通信規約に対応しているか否かを判定するように制御する制御工程と、を有することを特徴とする制御方法。
【請求項１５】
前記第１判定工程では、前記汎用インターフェースを介して受信した前記画像供給デバイスの製造メーカ名、デバイス情報の少なくともいずれかに基づいて判定することを特徴とする請求項１４に記載の制御方法。
【請求項１６】
前記第２判定工程では、前記トランスポート層で送られてくる前記画像供給デバイスの製造メーカ名、デバイス情報の少なくともいずれかに基づいて判定することを特徴とする請求項１４又は１５に記載の制御方法。
【請求項１７】
外部機器との通信インターフェースを構成する複数の階層のうちのいずれかの所定の通信階層における確認処理によって、所定の通信規約に基づく通信が可能であるかを判断する判断手段と、
通信する通信階層よりも下位の通信階層における情報交換によって前記所定の通信規約に基づく通信が可能であると前記前記判断手段が確認したことに応じて、前記所定の通信階層における前記判断手段による判断を省いて通信規約に基づく通信を行なうように制御する制御手段と、
を有することを特徴とする通信装置。
【請求項１８】
前記判断手段は、前記所定の通信階層における所定のオブジェクトファイルの受信に基づいて判断し、前記所定のオブジェクトファイルの送受信に先立ち、前記外部機器が管理するオブジェクトを特定するためのハンドルリストの受信が行なわれることを特徴とする請求項１７に記載の通信装置。
【請求項１９】
外部機器との通信インターフェースを構成する複数の階層のうちのいずれかの所定の通信階層における確認処理によって、所定の通信規約に基づく通信が可能であるかを判断する判断工程と、
通信する通信階層よりも下位の通信階層における情報交換によって、前記所定の通信規約に基づく通信が可能と判断されると、前記所定の通信階層における前記判断工程での判断を省いて通信規約に基づく通信を行なうように制御する制御工程と、
を有することを特徴とする通信方法。
【請求項２０】
前記判断工程では、前記所定の通信階層における所定のオブジェクトファイルの受信に基づいて判断し、前記所定のオブジェクトファイルの送受信に先立ち、前記外部機器が管理するオブジェクトを特定するためのハンドルリストの受信が行なわれることを特徴とする請求項１９に記載の通信方法。
【請求項２１】
請求項１９又は２０に記載の通信方法を実行することを特徴とするプログラム。
【請求項２２】
請求項２１に記載のプログラムを記憶していることを特徴とする、コンピュータにより読み取り可能な記憶媒体。
【手続補正３】
【補正対象書類名】明細書
【補正対象項目名】０００１
【補正方法】変更
【補正の内容】
【０００１】
【発明の属する技術分野】
本発明は、デジタルカメラなどの画像供給デバイスからの画像データに基づいて画像を記録する記録システム、記録装置及びその制御方法及び通信装置とその方法及びプログラムと記憶媒体に関するものである。